(57)【要約】【課題】着メロ配信元端末が所望の着メロを移動体通信端末で再生させる。【解決手段】情報処理端末１０は、メール配信サーバ２１に対して契約利用者Ｂ宛の電子メールを送信する（ステップＡ２）。メール配信サーバ２１は、曲データ指定情報を付加してメール着信信号を移動体通信端末３０へ送信する（ステップＡ３）。移動体通信端末３０は、メール着信信号に付加された曲データ指定情報を曲データベース２２へ送信する（ステップＡ５）。曲データベース２２は、曲データ指定情報に基づいた曲データを移動体通信端末３０へ送信する（ステップＡ６）。移動体通信端末３０は、受信した曲データを着メロとして再生し（ステップＡ７）、メール配信サーバ２１から電子メールを受信する（ステップＡ８〜Ａ１０）。【選択図】        図２
2004349769.tif 000002
【特許請求の範囲】
【請求項１】
着信メロディ配信元端末と移動体通信事業者の事業者端末とが通信ネットワークを介して接続され、前記事業者端末と移動体通信端末とが移動体通信網を介して接続され、
前記着信メロディ配信元端末は、予め曲指定データと曲データとを対応付けて前記事業者端末に登録しておき、前記移動体通信端末宛ての電子メールを前記事業者端末へ送信し、
この事業者端末は、前記着信メロディ配信元端末から前記移動体通信端末宛ての電子メールを受信すると、前記着信メロディ配信元端末によって予め登録されていた前記曲指定データを付加してメール着信信号を前記移動体通信端末へ送信し、
この移動体通信端末は、前記事業者端末から前記メール着信信号を受信すると、当該メール着信信号に付加された前記曲指定データを前記事業者端末へ送信し、
この事業者端末は、前記移動体通信端末から前記曲指定データを受信すると、前記着信メロディ配信元端末によって予め登録されていた前記曲データを前記移動体通信端末へ送信し、
この移動体通信端末は、前記事業者端末から前記曲データを受信すると、当該曲データを着信メロディとして再生するとともに、メール受信要求信号を前記事業者端末へ送信し、
この事業者端末は、前記移動体通信端末からメール受信要求信号を受信すると、前記着信メロディ配信元端末から受信していた前記移動体通信端末宛ての電子メールを前記移動体通信端末ヘ送信し、
この前記移動体通信端末は、前記事業者端末から前記移動体通信端末宛ての電子メールを受信する、
着信メロディ配信方法。
【請求項２】
前記事業者端末は、前記移動体通信端末が前記曲指定データを当該事業者端末へ送信してから当該事業者端末から前記移動体通信端末宛ての電子メールを受信するまでの通信量に応じた料金請求データを、前記移動体通信端末へ送信する、
請求項１記載の着信メロディ配信方法。
【請求項３】
着信メロディ配信元端末とメール配信サーバ及び曲データベースを有する移動体通信事業者の事業者端末とが通信ネットワークを介して接続され、前記事業者端末と移動体通信端末とが移動体通信網を介して接続され、
前記着信メロディ配信元端末は、予め曲指定データを前記メール配信サーバに登録するとともに前記曲指定データに対応する曲データを曲データベースに登録しておき、前記移動体通信端末宛ての電子メールを前記メール配信サーバへ送信し、
このメール配信サーバは、前記着信メロディ配信元端末から前記移動体通信端末宛ての電子メールを受信すると、前記着信メロディ配信元端末によって予め登録されていた前記曲指定データを付加してメール着信信号を前記移動体通信端末へ送信し、
この移動体通信端末は、前記メール配信サーバから前記メール着信信号を受信すると、当該メール着信信号に付加された前記曲指定データを前記曲データベースへ送信し、
この曲データベースは、前記移動体通信端末から前記曲指定データを受信すると、前記着信メロディ配信元端末によって予め登録されていた前記曲データを前記移動体通信端末へ送信し、
この移動体通信端末は、前記曲データベースから前記曲データを受信すると、当該曲データを着信メロディとして再生するとともに、メール受信要求信号を前記メール配信サーバへ送信し、
このメール配信サーバは、前記移動体通信端末からメール受信要求信号を受信すると、前記着信メロディ配信元端末から受信していた前記移動体通信端末宛ての電子メールを前記移動体通信端末ヘ送信し、
この前記移動体通信端末は、前記メール配信サーバから前記移動体通信端末宛ての電子メールを受信する、
着信メロディ配信方法。
【請求項４】
前記事業者端末は課金サーバを有し、
この課金サーバは、前記移動体通信端末が前記曲指定データを前記メール配信サーバへ送信してから前記メール配信サーバから前記移動体通信端末宛ての電子メールを受信するまでの通信量に応じた料金請求データを、前記移動体通信端末へ送信する、
請求項１記載の着信メロディ配信方法。
【請求項５】
前記着信メロディ及び前記電子メールは前記着信メロディ配信元端末の広告用である、
請求項１乃至４のいずれかに記載の着信メロディ配信方法。
【請求項６】
着信メロディ配信元端末と移動体通信事業者の事業者端末とが通信ネットワークを介して接続され、前記事業者端末と移動体通信端末とが移動体通信網を介して接続され、
前記着信メロディ配信元端末は、予め曲指定データと曲データとを対応付けて前記事業者端末に登録しておく機能と、前記移動体通信端末宛ての電子メールを前記事業者端末へ送信する機能とを有し、
前記事業者端末は、前記着信メロディ配信元端末から前記移動体通信端末宛ての電子メールを受信すると、前記着信メロディ配信元端末によって予め登録されていた前記曲指定データを付加してメール着信信号を前記移動体通信端末へ送信する機能と、前記移動体通信端末から前記曲指定データを受信すると、前記着信メロディ配信元端末によって予め登録されていた前記曲データを前記移動体通信端末へ送信する機能と、前記移動体通信端末からメール受信要求信号を受信すると、前記着信メロディ配信元端末から受信していた前記移動体通信端末宛ての電子メールを前記移動体通信端末ヘ送信する機能とを有し、
前記移動体通信端末は、前記事業者端末から前記メール着信信号を受信すると、当該メール着信信号に付加された前記曲指定データを前記事業者端末へ送信する機能と、前記事業者端末から前記曲データを受信すると、当該曲データを着信メロディとして再生するとともに、メール受信要求信号を前記事業者端末へ送信する機能と、前記事業者端末から前記移動体通信端末宛ての電子メールを受信する機能とを有する、
着信メロディ配信システム。
【請求項７】
前記事業者端末は、前記移動体通信端末が前記曲指定データ曲指定データを当該事業者端末へ送信してから当該事業者端末から前記移動体通信端末宛ての電子メールを受信するまでの通信量に応じた料金請求データを、前記移動体通信端末へ送信する機能を有する、
請求項６記載の着信メロディ配信システム。
【請求項８】
着信メロディ配信元端末とメール配信サーバ及び曲データベースを有する移動体通信事業者の事業者端末とが通信ネットワークを介して接続され、前記事業者端末と移動体通信端末とが移動体通信網を介して接続され、
前記着信メロディ配信元端末は、予め曲指定データを前記メール配信サーバに登録するとともに前記曲指定データに対応する曲データを曲データベースに登録しておく機能と、前記移動体通信端末宛ての電子メールを前記メール配信サーバへ送信する機能とを有し、
前記メール配信サーバは、前記着信メロディ配信元端末から前記移動体通信端末宛ての電子メールを受信すると、前記着信メロディ配信元端末によって予め登録されていた前記曲指定データを付加してメール着信信号を前記移動体通信端末へ送信する機能と、前記移動体通信端末からメール受信要求信号を受信すると、前記着信メロディ配信元端末から受信していた前記移動体通信端末宛ての電子メールを前記移動体通信端末ヘ送信する機能とを有し、
前記曲データベースは、前記移動体通信端末から前記曲指定データを受信すると、前記着信メロディ配信元端末によって予め登録されていた前記曲データを前記移動体通信端末へ送信する機能を有し、
前記移動体通信端末は、前記メール配信サーバから前記メール着信信号を受信すると、当該メール着信信号に付加された前記曲指定データを前記曲データベースへ送信する機能と、前記曲データベースから前記曲データを受信すると、当該曲データを着信メロディとして再生するとともに、メール受信要求信号を前記メール配信サーバへ送信する機能と、前記メール配信サーバから前記移動体通信端末宛ての電子メールを受信する機能とを有する、
着信メロディ配信システム。
【請求項９】
前記事業者端末は課金サーバを有し、
この課金サーバは、前記移動体通信端末が前記曲指定データを前記メール配信サーバへ送信してから前記メール配信サーバから前記移動体通信端末宛ての電子メールを受信するまでの通信量に応じた料金請求データを、前記移動体通信端末へ送信する機能を有する、
請求項８記載の着信メロディ配信システム。
【請求項１０】
前記着信メロディ及び前記電子メールは前記着信メロディ配信元端末の広告用である、
請求項５乃至９のいずれかに記載の着信メロディ配信システム。
【請求項１１】
コンピュータを含む着信メロディ配信元端末とコンピュータを含む移動体通信事業者の事業者端末とが通信ネットワークを介して接続され、前記事業者端末とコンピュータを含む移動体通信端末とが移動体通信網を介して接続された着信メロディ配信システムに用いられ、
前記着信メロディ配信元端末に、予め曲指定データと曲データとを対応付けて前記事業者端末に登録しておく機能と、前記移動体通信端末宛ての電子メールを前記事業者端末へ送信する機能とを実現させるためのプログラムと、
前記事業者端末に、前記着信メロディ配信元端末から前記移動体通信端末宛ての電子メールを受信すると、前記着信メロディ配信元端末によって予め登録されていた前記曲指定データを付加してメール着信信号を前記移動体通信端末へ送信する機能と、前記移動体通信端末から前記曲指定データを受信すると、前記着信メロディ配信元端末によって予め登録されていた前記曲データを前記移動体通信端末へ送信する機能と、前記移動体通信端末からメール受信要求信号を受信すると、前記着信メロディ配信元端末から受信していた前記移動体通信端末宛ての電子メールを前記移動体通信端末ヘ送信する機能とを実現させるためのプログラムと、
前記移動体通信端末に、前記事業者端末から前記メール着信信号を受信すると、当該メール着信信号に付加された前記曲指定データを前記事業者端末へ送信する機能と、前記事業者端末から前記曲データを受信すると、当該曲データを着信メロディとして再生するとともに、メール受信要求信号を前記事業者端末へ送信する機能と、前記事業者端末から前記移動体通信端末宛ての電子メールを受信する機能とを実現させるためのプログラムと、
を備えた着信メロディ配信プログラム。
【請求項１２】
前記事業者端末に、前記移動体通信端末が前記曲指定データを当該事業者端末へ送信してから当該事業者端末から前記移動体通信端末宛ての電子メールを受信するまでの通信量に応じた料金請求データを、前記移動体通信端末へ送信する機能を実現させるためのプログラム、
を更に備えた請求項１１記載の着信メロディ配信プログラム。
【請求項１３】
コンピュータを含む着信メロディ配信元端末とコンピュータを含むメール配信サーバ及びコンピュータを含む曲データベースを有する移動体通信事業者の事業者端末とが通信ネットワークを介して接続され、前記事業者端末とコンピュータを含む移動体通信端末とが移動体通信網を介して接続された着信メロディ配信システムに用いられ、
前記着信メロディ配信元端末に、予め曲指定データを前記メール配信サーバに登録するとともに前記曲指定データに対応する曲データを曲データベースに登録しておく機能と、前記移動体通信端末宛ての電子メールを前記メール配信サーバへ送信する機能とを実現させるためのプログラムと、
前記メール配信サーバに、前記着信メロディ配信元端末から前記移動体通信端末宛ての電子メールを受信すると、前記着信メロディ配信元端末によって予め登録されていた前記曲指定データを付加してメール着信信号を前記移動体通信端末へ送信する機能と、前記移動体通信端末からメール受信要求信号を受信すると、前記着信メロディ配信元端末から受信していた前記移動体通信端末宛ての電子メールを前記移動体通信端末ヘ送信する機能とを実現させるためのプログラムと、
前記曲データベースに、前記移動体通信端末から前記曲指定データを受信すると、前記着信メロディ配信元端末によって予め登録されていた前記曲データを前記移動体通信端末へ送信する機能を実現させるためのプログラムと、
前記移動体通信端末に、前記メール配信サーバから前記メール着信信号を受信すると、当該メール着信信号に付加された前記曲指定データを前記曲データベースへ送信する機能と、前記曲データベースから前記曲データを受信すると、当該曲データを着信メロディとして再生するとともに、メール受信要求信号を前記メール配信サーバへ送信する機能と、前記メール配信サーバから前記移動体通信端末宛ての電子メールを受信する機能とを実現させるためのプログラムと、
を備えた着信メロディ配信プログラム。
【請求項１４】
前記事業者端末はコンピュータを含む課金サーバを有し、
この課金サーバに、前記移動体通信端末が前記曲指定データを前記メール配信サーバへ送信してから前記移動体通信端末宛ての電子メールを受信するまでの通信量に応じた料金請求データを、前記移動体通信端末へ送信する機能を実現させるためのプログラム、
を更に備えた請求項１３記載の着信メロディ配信プログラム。
【請求項１５】
前記着信メロディ及び前記電子メールは前記着信メロディ配信元端末の広告用である、
請求項１１乃至１４のいずれかに記載の着信メロディ配信プログラム。
【発明の詳細な説明】
【０００１】
【発明の属する技術分野】
本発明は、携帯電話機やＰＤＡ（ｐｅｒｓｏｎａｌ  ｄｉｇｉｔａｌ  ａｓｓｉｓｔａｎｔ）などの移動体通信端末へ着信メロディ（以下「着メロ」という。）を配信するための着メロ配信方法等に関する。
【０００２】
【従来の技術】
携帯電話機ではなく一般的なコンピュータ間での電子メールの送受信において、受信側で電子メールの着信を知らせる音楽を、発信者が自由に選択できる、このような従来技術が下記特許文献１に記載されている。この従来技術を概略的に言えば、コンピュータネットワークにて送受信される電子メールの着信報知方法であって、電子メールの着信を検出する検出手順（図４ステップＳ１）と、着信した電子メールに送信側が付与した識別符号を抽出する音楽情報抽出手順（図４ステップＳ４）と、抽出された識別符号により特定される音楽を再生し出力する再生出力手順（図４ステップＳ８）と、を有するものである。
【０００３】
図３は、下記特許文献１に開示された従来技術を示すブロック図である。以下、この図面に基づき説明する。
【０００４】
受信側コンピュータ１０４はメールサーバ１０３とイーサネットを介してデータ通信可能に接続され、メールサーバ１０３はインターネット１０２を介して発信側コンピュータ１０１と接続されている。発信側コンピュータ１０１には、送信される電子メールに所定のデータを付与する送信側プログラムが搭載されている。
【０００５】
受信側コンピュータ１０４は、ＣＰＵ１０５、ＲＡＭ１０８、表示装置１０７、音楽出力装置１１０、磁気ディスクや光磁気ディスクから成る記憶装置１０９、メールサーバ１０３とのデータ通信を行う通信インターフェィス１０６等が、受信側コンピュータ１０４内部にてデータの送受を行うデータバス１１１に接続された通常の構成である。
【０００６】
記憶装置１０９には、着信した電子メールに付与されている再生楽器を特定可能な識別符号とこの識別符号に対応する楽器の種別とが対応付けられて記憶された再生楽器データベース（ＤＢ）１２１と、スコア（音符）データとしてのＭＩＤＩ（ｍｕｓｉｃａｌ  ｉｎｓｔｒｕｍｅｎｔ  ｄｉｇｉｔａｌ  ｉｎｔｅｒｆａｃｅ）データで記憶された再生される音楽の再生音楽データベース（ＤＢ）１２２と、が記憶されている。
【０００７】
図４は、受信側コンピュータ１０４における電子メールの着信報知プログラムの処理内容を示すフローチャートである。以下、図３及び図４に基づき、受信側コンピュータ１０４におけるデータ処理動作を説明する。
【０００８】
まず、電子メールの発信側コンピュータ１０１では、発信者は電子メールの送信先であるコンピュータ１０４のアドレス等を入力ウインドにするとともに、送信する電子メールの属性（緊急度等）を属性選択部より選択するとともに、受信側コンピュータ１０４で音楽再生を行う楽器の種別を楽器選択部にて選択して電子メールの送信を行う。
【０００９】
これによって、送信される電子メールを構成するデータ列の所定位置には、選択された緊急又は重要等の属性情報データ、選択された楽器を特定可能な識別符号データが付加されて送信される。これら送信された電子メールは、インターネット１０２を介してメールサーバ１０３に伝送され、一時記憶される。
【００１０】
受信側コンピュータ１０４の操作者が、着信報知プログラムを起動すると、まずメールサーバ１０３に新たな電子メールが届いているかの確認を行う（ステップＳ１）。この確認でメールサーバ１０３に新たなメールの着信がある場合には、メールサーバ１０３から新着メールの取得を実施し、記憶装置１０９に記憶する（ステップＳ２）。この新着メールの取得に伴い、当該電子メールのデータ列の中から、当該電子メールが送信された発信側のアドレスデータの抽出を行う（ステップＳ３）。
【００１１】
続いて、当該電子メールに発信側コンピュータ１０１にて付与された属性情報データ及び識別符号データの抽出を行う（ステップＳ４）。これら抽出された属性情報データが、「重要」又は「急ぎ」である場合は、これら属性に基づくアイコン（急ぎアイコン等）が選出され、それ以外の場合は通常のアイコンが選出され、更に抽出された識別符号データに対応する再生楽器を再生楽器ＤＢ１２１から検索して選出し（ステップＳ５）、選出された表示アイコン、再生楽器及び再生楽器に対応する再生音楽が、再生音楽リスト及び表示アイコンリストに登録又は更新される（ステップＳ６）。
【００１２】
次いで、メールサーバ３に未取得の新着メールが存在する場合には（ステップＳ７）、ステップＳ２〜ステップＳ６の処理を繰り返し実施し、再生音楽リスト及び表示アイコンリストが更新されていく。
【００１３】
次いで、作成又は編集された表示アイコンリスト及び再生音楽リストに基づき、これら表示アイコンの動作タイミングに連動して音楽再生を行い（ステップＳ８）、音楽出力装置１１０から再生音楽の出力を行う（ステップＳ９）。
【００１４】
このように、発信者は自分の好みの楽器を選択することで、この選択された楽器による再生音楽が出力されるようになることから、趣向性を向上することができる。
【００１５】
【特許文献１】
特開２０００‐１３７６５６号公報
【００１６】
【発明が解決しようとする課題】
ところで、１９９９年に始まった着メロは携帯電話機の主力コンテンツとなり、その国内市場規模は３年で１０倍の１０００億円に急成長している。しかしながら、従来の携帯電話機の着メロの曲選定は受信者側の設定に委ねられているので、送信者側が任意の曲を指定することはできなかった。
【００１７】
一方、企業の側においても、従来のＤＭ（ｄｉｒｅｃｔ  ｍａｉｌ）に代わって、携帯電話機を使った販売促進メールの活用が進んでいる。そのため、携帯電話機は、マーケティングツールとして重要な位置付けを担うようになってきた。
【００１８】
また、移動体通信事業者においても、新規加入者数が減少傾向にあることもあって、送受信一回当たりの通信料収入の増加が求められている。
【００１９】
【発明の目的】
そこで、本発明の主な目的は、例えば販売促進メール送信側が着メロを任意の曲（例えば自社ＣＭ曲等）に設定することにより、携帯電話機をより効果的なマーケティングツールとして活用できる、着メロ配信方法等を提供することにある。また、本発明の他の目的は、移動体通信事業者における通信料収入を増加できる、着メロ配信方法等を提供することにある。
【００２０】
【課題を解決するための手段】
本発明に係る着メロ配信方法は、着メロ配信元端末と移動体通信事業者の事業者端末とが通信ネットワークを介して接続され、事業者端末と移動体通信端末とが移動体通信網を介して接続されたシステムに用いられる。
【００２１】
まず、着メロ配信元端末は、予め曲指定データと曲データとを対応付けて事業者端末に登録しておき、移動体通信端末宛ての電子メールを事業者端末へ送信する。続いて、事業者端末は、着メロ配信元端末から移動体通信端末宛ての電子メールを受信すると、着メロ配信元端末によって予め登録されていた曲指定データを付加してメール着信信号を移動体通信端末へ送信する。続いて、移動体通信端末は、事業者端末からメール着信信号を受信すると、このメール着信信号に付加された曲指定データを事業者端末へ送信する。続いて、事業者端末は、移動体通信端末から曲指定データを受信すると、着メロ配信元端末によって予め登録されていた曲データを移動体通信端末へ送信する。続いて、移動体通信端末は、事業者端末から曲データを受信すると、この曲データを着メロとして再生するとともに、メール受信要求信号を事業者端末へ送信する。続いて、事業者端末は、移動体通信端末からメール受信要求信号を受信すると、着メロ配信元端末から受信していた移動体通信端末宛ての電子メールを移動体通信端末ヘ送信する。最後に、移動体通信端末は、事業者端末から移動体通信端末宛ての電子メールを受信する。
【００２２】
このように、着メロ配信元端末は、所望の着メロを移動体通信端末で再生させることができる。また、従来技術では、電子メールの受信側に曲データベースを設けていた。しかし、極度の小型化及び軽量化が要求される移動体通信端末に曲データベースを設けることは、好ましくない。本発明では、移動体通信端末ではなく事業者端末に曲データベースを設けているので、移動体通信端末の小型化及び軽量化が図られるとともに、移動体通信端末での曲データの登録等の手間を省ける。
【００２３】
また、事業者端末は、移動体通信端末が曲指定データを当該事業者端末へ送信してから、当該事業者端末から移動体通信端末宛ての電子メールを受信するまでの、通信量に応じた料金請求データを、移動体通信端末へ送信する、としてもよい。更に、事業者端末にメール配信サーバ及び曲データベースを設けて、それぞれに役割を分担させてもよい。更にまた、着メロ及び電子メールは着メロ配信元端末の広告用である、としてもよい。
【００２４】
本発明に係る着信メロディ配信システムは、本発明に係る着信メロディ配信方法を使用するものである。本発明に係る着信メロディ配信プログラムは、本発明に係る着信メロディ配信システムの各機能をコンピュータに実現させるためのものである。
【００２５】
【発明の実施の形態】
以下、本発明に係る着信メロディ配信システムの実施形態について、図面を参照しつつ説明する。ただし、本発明に係る着信メロディ配信方法は本発明に係る着信メロディ配信システムに使用されるものであり、本発明に係る着信メロディ配信プログラムは本発明に係る着信メロディ配信システムの各機能をコンピュータに実現させるためのものであるので、これらについては本実施形態の説明の中で同時に説明する。また、特許請求の範囲における「着メロ配信元端末」、「通信ネットワーク」及び「曲指定データの一部」は、それぞれ「情報処理端末」、「インターネット」及び「曲データ指定情報」と具体化して言い換える。
【００２６】
図１は、本発明に係る着メロ配信システムの一実施形態を示すブロック図である。以下、この図面に基づき説明する。
【００２７】
本実施形態の着メロ配信システムは、情報処理端末１０と事業者端末２０とがインターネット４０を介して接続され、事業者端末２０と移動体通信端末３０とが移動体通信網５０を介して接続されたものである。また、事業者端末２０は、メール配信サーバ２１、曲データベース２２、課金サーバ２３、ゲートウェイ２４等を備えている。
【００２８】
契約利用者Ａは、着メロ配信サービスの利用に関して移動体通信事業者と利用契約を締結した者であり、情報処理端末１０を有している。移動体通信事業者は、移動体通信サービス及び着メロ配信サービスの提供者であり、事業者端末２０を有している。契約利用者Ｂは、移動体通信サービスの利用に関して移動体通信事業者と利用契約を締結した者であり、移動体通信端末３０を有している。
【００２９】
情報処理端末１０は、パーソナルコンピュータ等のインターネット接続可能な情報処理装置であり、メール送信機能を備える。
【００３０】
ゲートウェイ２４は、インターネット４０と移動体通信網５０とを接続するものである。なお、ゲートウェイ２４とは、異なる種類のプロトコルを使っているネットワークを相互接続するためのインターフェース装置のことである。
【００３１】
メール配信サーバ２１は、契約利用者Ａから送信された電子メールに予め指定された曲データ指定情報を付加して、これらを契約利用者Ｂへ配信する機能を持つ情報処理装置である。曲データベース２２は、曲データの保存及び曲データ指定情報に基づいた曲データを送信する機能を持つ情報処理装置である。課金サーバ２３は、契約利用者Ｂのデータ通信量を記録する機能をもつ情報処理装置である。
【００３２】
移動体通信端末３０は、インターネット接続可能な携帯電話機であり、電子メール機能及び着メロ機能を備える。
【００３３】
本発明では、移動体通信端末３０の着メロ機能において、送信者側が任意の着メロを設定することにより、効果的なマーケティングを行うことができる。また、移動体通信事業者は、契約利用者Ａに対して、メール配信時に着メロデータ付加サービスを提供する。そして、契約利用者Ｂは、移動体通信事業者に対して、通信データ量に応じて対価を支払う。
【００３４】
図２は、本実施形態の着メロ配信システムの動作を示すシーケンス図である。以下、図１及び図２に基づき、本実施形態の着メロ配信システムの動作を説明する。
【００３５】
契約利用者Ａは、移動体通信事業者と送信者設定着メロ配信サービスの利用契約を締結し、所定の契約料を移動体通信事業者に支払う。情報処理端末１０は、契約利用者Ａの指示により、メール配信サーバ２１に曲指定データを登録しておく（ステップＡ１）。このとき、曲指定データに対応する曲データが曲データベース２２に存在しない場合には、曲データ自体も曲データベース２２に登録しておく。
【００３６】
曲指定データとは、曲データベース２２内のどの曲かを指定するためのものである。例えば、曲データベース２２内に「１：ちょうちょのうた」、「２：さくらのうた」及び「３：かえるのうた」があったとき、「ちょうちょのうた」を指定するならば、曲指定データは「１」を登録する。
【００３７】
詳しく言えば、このとき、契約利用者Ａのメールアドレスも登録する。その理由は、ステップＡ３においてメール配信サーバ２１は電子メールのｆｒｏｍ  ｈｅａｄｅｒ（すなわち契約利用者Ａのメールアドレス）を見て該当する曲データ指定情報を付加するためである。
【００３８】
続いて、情報処理端末１０は、契約利用者Ａの指示により、メール配信サーバ２１に対して契約利用者Ｂ宛の電子メールを送信する（ステップＡ２）。続いて、メール配信サーバ２１は、曲データ指定情報を付加してメール着信信号を移動体通信端末３０へ送信する（ステップＡ３）。
【００３９】
この曲データ指定情報は、前述の曲指定データと概ね同じであるが、厳密に言えば異なる。なぜなら、移動体通信端末３０に対して曲データベース２２へ指定情報を送信させる機能、及び曲データベース２２に対してどの曲かを指定させる機能が必要になるからである。特に、移動体通信端末３０対しては、電子メールの他の情報（Ｈｅａｄｅｒや本文）との区別をつけるための細工が必要になる。一例としては、専用Ｈｅｄｅｒ（例えば「ｍｅｌｏｄｙ」）をつける方法がある。すなわち曲データ指定情報は「ｍｅｌｏｄｙ  １」となる。この場合、曲データベース２２が認識できればよいので、曲指定データの「１」と完全に同一である必要はない。例えば、送信要求は、１００１から始まる番号にしてもよい。更に、ＵＲＬでもよい（例えばｍｅｌｏｄｙ  ｈｔｔｐ：／／ｗｗｗ．ｍｅｒｏｄｙ．ｃｏｍ／ｃｈｏｕｃｈｏなど）。
【００４０】
続いて、課金サーバ２３は、移動体通信端末３０のデータ通信量を記録し始める（ステップＡ４）。続いて、移動体通信端末３０は、メール着信信号に付加された曲データ指定情報を曲データベース２２へ送信する（ステップＡ５）。続いて、曲データベース２２は、曲データ指定情報に基づいた曲データを移動体通信端末３０へ送信する（ステップＡ６）。
【００４１】
続いて、移動体通信端末３０は、受信した曲データを着メロとして再生し（ステップＡ７）、メール配信サーバ２１にメール受信要求信号を送信する（ステップＡ８）。これにより、移動体通信端末３０は、メール配信サーバ２１から電子メールを受信する（ステップＡ９，Ａ１０）。
【００４２】
この電子メールは、例えば音楽ＣＤの新譜発売情報メールなど広告メールとすることが好ましい。また、ご注文の品到着しましたメールなどのお知らせメールとしてもよい。
【００４３】
このように、情報処理端末１０は、所望の着メロを移動体通信端末３０で再生させることができる。一方、課金サーバ２３は、記録されたデータ通信量（ステップＡ５〜Ａ１０）に基づき、通信料請求データを移動体通信端末３０へ送信する（ステップＡ１１）。
【００４４】
【発明の効果】
本発明によれば、着メロ配信元端末が所望の着メロを移動体通信端末で再生させることができる。しかも、移動体通信端末ではなく事業者端末に曲データベースを設けているので、移動体通信端末の小型化及び軽量化を図ることができるとともに、移動体通信端末での曲データの登録等の手間を省くことができる。換言すると、本発明によれば次の効果を奏する。
【００４５】
第１の効果は、販売促進メール送信者側の広告効果である。その理由は、移動体通信端末（例えば携帯電話機）は常に持ち歩くものであるから、着メロを自社ＣＭ曲に指定しておけば街中でも自社ＣＭ曲を流すことができるからである。
【００４６】
第２の効果は、移動体通信事業者の通信料収入増加である。その理由は、電子メール配信時にメールデータだけでなく着メロデータも配信することにより、データ通信量が増加するからである。
【図面の簡単な説明】
【図１】本発明に係る着メロ配信システムの一実施形態を示すブロック図である。
【図２】本実施形態の着メロ配信システムの動作を示すシーケンス図である。
【図３】従来技術の構成を示すブロック図である。
【図４】従来技術の動作を示すフローチャートである。
【符号の説明】
１０  情報処理端末（着メロ配信元端末）
２０  事業者端末
２１  メール配信サーバ
２２  曲データベース
２３  課金サーバ
２４  ゲートウェイ
３０  移動体通信端末
４０  インターネット（通信ネットワーク）
５０  移動体通信網
【図１】
2004349769.tif 000003
【図２】
2004349769.tif 000004
【図３】
2004349769.tif 000005
【図４】
2004349769.tif 000006